(57)【要約】【課題】本発明は、人体又は人が着用している衣類に発生し帯電した静電気が、携帯電話端末等の電子機器に放電されることによって、電子機器内部の電気回路が誤動作したり、電子部品が破壊されたりする問題を解決した操作入力部を備える電子機器を提供することを目的とする。【解決手段】操作入力部材３が回路基板４上に配置されると、台座３２の端面は、アース部４１と所定の箇所で接続し、導電性プレート３３は、この台座３２がアース部４１と接する箇所において、アース部４１と接触する。以上の構成の操作入力部Ａに静電気が放電されたとしても、静電気は操作入力部材３の台座３２の上に取り付けられた導電性プレート３３から回路基板４のアース部４１を通ってさらに放電される。【選択図】      図２
2005032495.tif 000002
【特許請求の範囲】
【請求項１】
電子部品が実装され、表面にアース部が設けられる回路基板と、
弾性体からなる台座と、
前記台座の少なくとも一方の表面を覆いその上にボタンが設けられ、その一部が前記回路基板のアース部に接触する導電性プレートと
を具備することを特徴とする電子機器。
【請求項２】
電子部品が実装され、表面にアース部が設けられる回路基板と、
ボタンが取り付けられた弾性体からなる台座と、
前記台座の少なくとも前記ボタン側の表面を覆い、その一部が前記回路基板のアース部に接触する導電性プレートと
を具備することを特徴とする電子機器。
【請求項３】
電子部品が実装され、表面にアース部が設けられる回路基板と、
ボタンが取り付けられた弾性体からなる台座と、
前記台座の全面を覆い、その一部が前記回路基板のアース部に接触する導電性プレートと
を具備することを特徴とする電子機器。
【請求項４】
電子部品が実装され、表面にアース部が設けられる回路基板と、
弾性体からなる台座と、
前記台座の上に設けられ、ボタンが取り付けられたプラスチック部と
前記プラスチック部の前記ボタンを除く表面を覆い、その一部が前記回路基板のアース部に接触する導電性プレートと
を具備することを特徴とする電子機器。
【請求項５】
前記導電性プレートは、前記プラスチック部の全面を覆うことを特徴とする請求項４に記載の電子機器。
【請求項６】
前記導電性プレートは、導電性インク又は導電性塗料を前記台座に印刷又は塗装されたものであることを特徴とする請求項１乃至請求項５に記載の電子機器。
【発明の詳細な説明】
【０００１】
【発明の属する技術分野】
本発明は、操作入力部を備える電子機器に関し、特に、操作入力部に静電気対策を講じた電子機器に関する。
【０００２】
【従来の技術】
従来から、人体又は人が着用している衣類に発生し帯電した静電気が、携帯電話端末等の電子機器に放電されることによって、電子機器内部の電気回路が誤動作したり、電子部品が破壊されたりする問題があった。
【０００３】
一方、携帯電話端末等の電子機器は、一般的に塗装されたケースを用いて筐体としているため、本来、電子機器に放電された静電気が電子機器内部に流れることは無い。しかし、電子機器の操作入力部は、電子機器の筐体であるケースの一部を切り欠く構造であるため、静電気が、この切り欠き形状を通って電子機器内部に流れていた。したがって、この静電気の問題は、操作入力部において多く発生していた。
【０００４】
ここで、この操作入力部は、ケースを切り欠いた形状から、操作入力部材の一部であるキートップが飛び出している。操作入力部材は、一般的には、プラスチック等で成形されたキートップとこのキートップを支える絶縁性のゴムとをアッセンブリした構造となっている。
【０００５】
従来、この絶縁性のゴムを導電性のゴムとともに同時成形して作製し、キートップと絶縁性／導電性ゴムとをアッセンブリした操作入力部材を操作入力部に用い、この絶縁性／導電性ゴムの導電性のゴム部分を回路基板のアース部に接触させる構造をとることで、操作入力部に発生する静電気を導電性のゴム部分を通してアース部に流し、上述の静電気による問題の対策が行われていた（例えば、特許文献１参照）。
【０００６】
【特許文献１】
特開２００２−２６０４８０号公報（第２−３頁、図１、図２）
【０００７】
【発明が解決しようとする課題】
この従来の電子機器は、前述したように操作入力部に放電された静電気が導電性のゴム部分を通ってアース部に流れる構造であることから、そのアース接触が金属等に比べて抵抗値の高い導電性のゴムであるため、上述の問題の対策として十分な効果を得られない問題があった。
【０００８】
また、導電性のゴムとアース部との接触部を複数箇所にすることで、前述のアース接触の問題に対する対策を図ることが考えられる。しかしながら、絶縁性のゴムと導電性のゴムの同時成形においては、絶縁性のゴムの中に導電性のゴムを複数箇所作製することは技術上困難であり、その自由度は極めて低いため、前述のアース接触をする箇所も大きな制限を受けてしまう問題があった。
【０００９】
そこで、本発明は、絶縁性のゴムに導電インク等の導電材を付加した操作入力部を備えることで、回路基板に実装される電子回路への静電気による影響をなくすことができる電子機器を提供することを目的とする。
【００１０】
【課題を解決するための手段】
上記目的を達成するために、本発明による電子機器は、電子部品が実装され、表面にアース部が設けられる回路基板と、弾性体からなる台座と、前記台座の少なくとも一方の表面を覆いその上にボタンが設けられ、その一部が前記回路基板のアース部に接触する導電性プレートとを具備することを特徴とする。
【００１１】
【発明の実施の形態】
（第１の実施の形態）
以下に、本発明に係る電子機器の実施の形態を、図１乃至図２を参照して説明する。
図１は、本発明を適用した携帯電話端末の斜視図であり、（ａ）には、携帯電話端末の外観を示し、（ｂ）には、操作入力部材が回路基板に配置された状態の外観を示す。図２は、本発明を適用した携帯電話端末の操作入力部の断面を示す。
【００１２】
本実施の形態では、図１（ａ）に示すような携帯電話端末に適用した場合を例に挙げて説明する。図１（ａ）に示す携帯電話端末は、上ケース１と下ケース２で外観ケースを形成して、この外観ケースの中に回路基板等の部品が実装されている。この上ケース１の下側のボタン設置部を切り欠き、この切り欠きからボタン３１を突出させて操作入力部Ａが形成される。利用者は、このボタン３１を押し下げることで、携帯電話端末の通話又は電子メールの発着信等の操作を行う。
【００１３】
操作入力部Ａの内部構成は、図１（ｂ）に示すとおり、ボタン３１と台座３２と導電性プレート３３を有する操作入力部材３が、回路基板４の上に配置されている構成である。操作入力部材３は、台座３２の上に、導電性プレート３３が取り付けられ、さらにその導電性プレート３３の上のボタン設置部にボタン３１が設けられている。回路基板４には、必要な箇所にアース部４１が設けられており、このアース部４１と導電性プレート３３が接続されている。
【００１４】
次に、この操作入力部Ａの内部構成を、図２の断面図を用いて説明する。図２は、操作入力部Ａの断面図であり、操作入力部Ａは、上ケース１、ボタン３１と台座３２と導電性材料３３からなる操作入力部材３、回路基板４、アース部４１、スイッチ４２、ＬＥＤ５等から構成されている。なお、回路基板４に搭載される携帯電話端末の電子回路を構成する電子部品については省略されている。
【００１５】
操作入力部材３は、絶縁性ゴムで成形された台座３２の表面に導電性プレート３３を取り付けた後、この導電性プレート３３の上のボタン設置部にプラスチック等で成形されたボタン３１を接着剤等により固定することで作製される。
【００１６】
回路基板４には、その端部にアース部４１、ボタン３１に対応する下面にスイッチ４２、スイッチ４２に隣接してＬＥＤ５等が設けられている。利用者がボタン３１を押し下げると、弾性体である台座３２がたわみ、スイッチ４２への入力が行われる。通常、スイッチ４２の入力が行われると、対応するＬＥＤ５が点灯する。
【００１７】
この操作入力部材３が回路基板４上に配置されると、台座３２の端面は、アース部４１と所定の箇所で接続し、導電性プレート３３は、この台座３２がアース部４１と接する箇所において、アース部４１と接触する。
【００１８】
以上の構成の操作入力部Ａに静電気が放電されたとしても、静電気は、操作入力部材３の台座３２の上に取り付けられた導電性プレート３３を通って回路基板４のアース部４１に放電される。
【００１９】
本実施の形態によれば、操作入力部Ａに放電された静電気は、導電性プレート３３から回路基板４のアース部４１を通してさらに放電させることができるため、静電気が電子機器の回路基板４に実装される電子回路に影響を与えなくするという効果を得ることができる。
【００２０】
図３は、上記第１の実施形態の第１の変形例である操作入力部Ａの断面を示す。この第１の変形例では、操作入力部材３のボタン３１は台座３２の上に接着剤等により固定され、この台座３２のボタン３１を除く表面に導電性プレート３３を取り付けて作製されている。
【００２１】
図４は、この第１の実施形態の第１の変形例である操作入力部Ａの断面図であり、本発明を適用した携帯電話端末に生じる効果の一例を示す。前述のとおり、通常、スイッチ４２の入力が行われると、対応するＬＥＤ５が点灯し、キートップ３１を電子機器内部から照らす。ここで、導電性プレート３３を取り付けていない操作入力部材３を使用した場合、ＬＥＤ５が照射する直接光６１は、一般的に操作入力部材３と上ケース１で反射することなく、透過してしまう。そのため、キートップ３１は、ＬＥＤ５から照射される直接光６１のみによって照らされる。しかし、実施の形態のように、カーボンや銀等の遮光の効果を有する物質を素材とした導電性プレート３３を利用した場合、図４に示すとおり、ＬＥＤ５が照射する直接光６１のうち一部は、そのまま直接光６１としてキートップ３１を照らし、直接光６１の残り一部は、導電性プレート３３で反射され、反射光６２となってキートップ３１を照らす。
【００２２】
従って、本実施の形態によれば、キートップ３１は、ＬＥＤ５からの直接光６１と反射光６２の双方によって照らされることとなるため、キートップ３１を電子機器内部から、より明るく照らすという効果も同時に得ることができる。
【００２３】
図５は、上記第１の実施形態の第２の変形例である操作入力部Ａの断面を示す。この第２の変形例では、ボタン３１含む台座３２の全面を覆うように導電性プレート３３を取り付けて作製されている。
【００２４】
上記した第１および第２の変形例においても、操作入力部Ａに静電気が発生したとしても、静電気は操作入力部材３の台座３２の上又は全面に取り付けられた導電性プレート３３から回路基板４のアース部４１を通って放電されため、電子機器の回路基板４に実装される電子回路に静電気の影響を与えなくするという効果を得ることができる。
【００２５】
（第２の実施の形態）
図６は、本発明を適用した携帯電話端末の第２の実施の形態に係る操作入力部の断面を示す。この第２の実施の形態では、ボタン３１をＰＥＴ等のプラスチック部３１ａを絞り成形することによって作製し、このボタン３１を有するプラスチック部３１ａを台座３２の上に接着材等で固定することによって操作入力部材３が作製される。この場合、ボタン３１が形成されたプラスチック部３１ａの端面は、アース部４１と所定の箇所で接触し、さらにボタン３１の表面に導電性プレート３３が取り付けられ、その端面はプラスチック部３１ａの端面と同様にアース部４１と接触する構成となっている。
【００２６】
図７は、上記第２の実施の形態の変形例である操作入力部Ａの断面を示す。この変形例では、ボタン３１が形成されたプラスチック部３１ａの全面を覆うように導電性プレート３３を取り付けて操作入力部材３が作製されている。
【００２７】
上記した第２の実施の形態においても、操作入力部Ａに静電気が発生したとしても、静電気は操作入力部材３のボタン３１が形成されたプラスチック部３１ａの上又は全面に取り付けられた導電性プレート３３から回路基板４のアース部４１を通って放電されため、電子機器の回路基板４に実装される電子回路に静電気の影響を与えなくするという効果を得ることができる。
【００２８】
なお、この第２の実施の形態では、ボタン３１が形成されたプラスチック部３１ａと台座３２が別部材としたが、ボタン３１が形成されたプラスチック部３１ａと台座３２とを一体にして成形してもよい。例えば、ボタン３１と台座３２をゴムで一体成形することが出来る。
【００２９】
ここで、導電性プレート３３の材料には、導電性インク又は導電性塗料、例えば、カーボンや銀を含有したものが用いられる。これ以外にも、導電性メッキを施すことによって成形されてもよい。
【００３０】
この導電性インク、導電性塗料及び導電性メッキ等の導電性プレート３３は、印刷又は塗装等によって、ボタン３１又は台座３２に取り付けられる。
また、実施の形態において、携帯電話端末を挙げて説明したが、これに限定されるものではなく、例えば、ＰＤＡ、電子手帳、電子辞書、有線電話端末などにも適用できる。
【００３１】
【発明の効果】
以上説明したように、本発明の電子機器によれば、操作入力部に放電された静電気は、導電性プレートから回路基板のアース部を通してさらに放電させることができるので、電子機器の回路基板に実装される電子回路への静電気による影響をなくすことができる。
【図面の簡単な説明】
【図１】本発明を適用した携帯電話端末の第１の実施の形態を示し、（ａ）には、携帯電話端末の外観を示す図、（ｂ）には、操作入力部の形状を示す図。
【図２】本発明を適用した携帯電話端末の第１の実施の形態の操作入力部の断面図。
【図３】本発明を適用した携帯電話端末の第１の実施の形態の第１の変形例である操作入力部の断面図。
【図４】本発明を適用した携帯電話端末の第１の実施形態の第１の変形例である操作入力部に生じる効果の一例を示す断面図。
【図５】本発明を適用した携帯電話端末の第１の実施の形態の第２の変形例である操作入力部の断面図。
【図６】本発明を適用した携帯電話端末の第２の実施の形態の操作入力部の断面図。
【図７】本発明を適用した携帯電話端末の第２の実施の形態の変形例である操作入力部の断面図。
【符号の説明】
１  上ケース、２  下ケース、Ａ  操作入力部、３  操作入力部材、３１  ボタン、３１ａ  プラスチック部、  ３２  台座、３３  導電性プレート、４  回路基板、４１  アース部、４２  スイッチ、５  ＬＥＤ、６１  直接光、６２  反射光
【図１】
2005032495.tif 000003
【図２】
2005032495.tif 000004
【図３】
2005032495.tif 000005
【図４】
2005032495.tif 000006
【図５】
2005032495.tif 000007
【図６】
2005032495.tif 000008
【図７】
2005032495.tif 000009